(57)【要約】【課題】本発明の課題は、光ファイバケーブルの移動を防止して光ファイバ自体へのテンションの影響を防止でき、収納箱自体の小型化が可能であり、設置位置の制約がなくなる収納箱を提供することにある。【解決手段】本発明は、ケーブル挿入口３０および支持線挿入口３１が設けられ、一面が開放された収納箱本体３３と、収納箱本体３３の開口部の一方の側部に開閉自在に取り付けられ、収納箱本体３３の開口部を覆うように設けられたカバー３４と、カバー３４を閉じることにより、支持線２５を固定する支持線固定部３６、および光ファイバケーブル２１を固定するケーブル固定部３７とを具備することを特徴とするものである。【選択図】　　図５
2004126346.tif 000002
【特許請求の範囲】
【請求項１】
ケーブル挿入口および支持線挿入口が設けられ、一面が開放された収納箱本体と、
前記収納箱本体の開口部の一方の側部に開閉自在に取り付けられ、収納箱本体の開口部を覆うように設けられたカバーと、
前記カバーを閉じることにより、支持線を固定する支持線固定部、および光ファイバケーブルを固定するケーブル固定部と
を具備することを特徴とする収納箱。
【請求項２】
ケーブル挿入口および支持線挿入口が設けられ、一面が開放された収納箱本体と、
前記収納箱本体の開口部の一方の側部に開閉自在に取り付けられ、収納箱本体の開口部を覆うように設けられたカバーと、
前記収納箱本体開口部の他方の側部の上部および下部にそれぞれ開閉自在に取り付けられた蓋と、
前記蓋に設けられ、前記蓋を閉じることにより光ファイバケーブルを押え込むようにして固定する緩衝物を有するケーブル固定部と、
前記カバーに設けられカバーを閉じることにより支持線を押え込むようにして固定する緩衝物を有する支持線固定部と
を具備することを特徴とする収納箱。
【請求項３】
ケーブル挿入口および支持線挿入口に、カバーを閉じることによりケーブル挿入口および支持線挿入口を密閉する止水部を設けることを特徴とする請求項１又は２記載の収納箱。
【請求項４】
収納箱本体が家屋の壁面に取り付けられることを特徴とする請求項１，２又は３記載の収納箱。
【請求項５】
収納箱本体が光ファイバ収納用キャビネット内に設置されることを特徴とする請求項１，２又は３記載の収納箱。
【発明の詳細な説明】
【０００１】
【発明の属する技術分野】
本発明は、無誘導抗張力体を含む外被と光ファイバからなる無誘導光ファイバケーブルを宅内に引き込む際に、光ファイバが露出した状態の無誘導光ファイバケーブルを収容する収納箱に関する。
【０００２】
【従来の技術】
図８は従来の無誘導光ファイバケーブルの配線例を示す説明図である。すなわち、無誘導抗張力体を含む外被と光ファイバからなる無誘導光ファイバケーブル１１を宅内に引き込む場合は、無誘導光ファイバケーブル１１を宅内引き込み口１２まで配線クリート１３を用いて配線する。この場合、宅内引き込み口１２近傍の宅外壁には宅内への過度なテンションの遮断の目的で、露出した光ファイバ１４を収納する光ファイバ収納用キャビネット１５が設けられる。この光ファイバ収納用キャビネット１５内には輪取りした光ファイバ１４を収納する収納トレイ１６が設けられる。このように、光ファイバ収納用キャビネット１５は収納トレイ１６が必要であり、且つキャビネット自体もある程度の大きさを必要としたため、無誘導光ファイバケーブル１１の配線ルートの脇に専用の設置スペースを必要とした。
【０００３】
【発明が解決しようとする課題】
本発明は上記の事情に鑑みてなされたもので、無誘導光ファイバケーブルの移動を防止することにより、光ファイバ自体へのテンションの影響を防止でき、光ファイバの余長が不要となるため、収納箱自体の小型化が可能であり、設置位置の制約がなくなる収納箱を提供することを目的とする。
【０００４】
【課題を解決するための手段】
上記目的を達成するために本発明の収納箱は、ケーブル挿入口および支持線挿入口が設けられ、一面が開放された収納箱本体と、前記収納箱本体の開口部の一方の側部に開閉自在に取り付けられ、収納箱本体の開口部を覆うように設けられたカバーと、前記カバーを閉じることにより、支持線を固定する支持線固定部、および光ファイバケーブルを固定するケーブル固定部とを具備することを特徴とするものである。
【０００５】
また本発明の収納箱は、ケーブル挿入口および支持線挿入口が設けられ、一面が開放された収納箱本体と、前記収納箱本体の開口部の一方の側部に開閉自在に取り付けられ、収納箱本体の開口部を覆うように設けられたカバーと、前記収納箱本体開口部の他方の側部の上部および下部にそれぞれ開閉自在に取り付けられた蓋と、前記蓋に設けられ、前記蓋を閉じることにより光ファイバケーブルを押え込むようにして固定する緩衝物を有するケーブル固定部と、前記カバーに設けられカバーを閉じることにより支持線を押え込むようにして固定する緩衝物を有する支持線固定部とを具備することを特徴とするものである。
【０００６】
また本発明は、前記収納箱において、ケーブル挿入口および支持線挿入口に、カバーを閉じることによりケーブル挿入口および支持線挿入口を密閉する止水部を設けることを特徴とするものである。
【０００７】
また本発明は、前記収納箱において、収納箱本体が家屋の壁面に取り付けられることを特徴とするものである。
【０００８】
また本発明は、前記収納箱において、収納箱本体が光ファイバ収納用キャビネット内に設置されることを特徴とするものである。
【０００９】
【発明の実施の形態】
以下図面を参照して本発明の実施の形態例を詳細に説明する。
【００１０】
図１は本発明の実施形態例に係る収納箱の配線例を示す構成説明図である。すなわち、無誘導抗張力体を含む外被と光ファイバからなる無誘導光ファイバケーブル２１を宅内に引き込む場合は、無誘導光ファイバケーブル２１を宅内引き込み口２２まで配線クリート２３を用いて配線する。この場合、宅内引き込み口２２近傍の宅外壁には宅内への過度なテンションの遮断の目的で、露出した光ファイバを収納する収納箱２４が設けられる。なお、図１では示していないが前記無誘導光ファイバケーブル２１に沿って支持線が設けられる。
【００１１】
図２は本発明の実施形態例に係る収納箱を示す斜視図であり、図３は図２のＡ−Ａ線断面図である。すなわち、収納箱２４を屋外に設置した場合であり、無誘導光ファイバケーブル２１および支持線２５の長手方向の所定の位置には収納箱２４が無誘導光ファイバケーブル２１および支持線２５を挿通するようにして設けられる。無誘導光ファイバケーブル２１は光ファイバ２６の両側に無誘導抗張力体２７が配置されて外被２８で一体に形成される。支持線２５には外被２９が設けられる。３０は収納箱２４のケーブル挿入口であり、３１は収納箱２４の支持線挿入口である。ケーブル挿入口３０および支持線挿入口３１にはそれぞれ止水部３２が設けられ、水および塵埃を浸入させないように構成される。
【００１２】
図４は本発明の実施形態例に係る無誘導光ファイバケーブルおよび支持線を示す斜視図である。すなわち、無誘導光ファイバケーブル２１は光ファイバ２６および無誘導抗張力体２７が外被２８で一体に形成される。支持線２５には外被２９が設けられる。
【００１３】
図５は本発明の実施形態例に係る収納箱の開放した状態を示す正面図であり、図６は本発明の実施形態例に係る収納箱の開放した状態を示す斜視図である。すなわち、収納箱２４は収納箱本体３３、カバー３４、および蓋３５より構成され、一面が開放された収納箱本体３３の開口部の一方の側部にはカバー３４がヒンジ機構により開閉自在に取り付けられて収納箱本体３３の開口部を覆うように設けられると共に、収納箱本体３３の開口部の他方の側部には蓋３５が上部および下部にそれぞれ分かれてヒンジ機構により開閉自在に取り付けられる。前記収納箱本体３３およびカバー３４には緩衝物を有する支持線固定部３６が設けられると共にケーブル挿入口３０および支持線挿入口３１が設けられ、ケーブル挿入口３０および支持線挿入口３１にはそれぞれ止水部３２が設けられる。前記蓋３５には緩衝物を有するケーブル固定部３７が設けられる。収納箱本体３３は壁面取り付けネジ３８により家屋壁面に取り付けられる。カバー３４および蓋３５を開いた状態で支持線２５を支持線挿入口３１に配置すると共に無誘導光ファイバケーブル２１をケーブル挿入口３０に配置する。上部の蓋３５と下部の蓋３５との間に対応した無誘導光ファイバケーブル２１の無誘導抗張力体２７および外被２８を削除して光ファイバ２６を露出させる。この状態において、蓋３５を閉めると、ケーブル固定部３７により無誘導光ファイバケーブル２１が押さえ込まれて把持・固定され、カバー３４を閉じると、支持線固定部３６により支持線２５が両側から押さえ込まれて挟持するようにして把持・固定される。したがって、収納箱２４には無誘導光ファイバケーブル２１および支持線２５が挿入・把持された状態になる。前記ケーブル挿入口３０および支持線挿入口３１に止水部３２を設けることにより、カバー３４を閉じることによりケーブル挿入口３０および支持線挿入口３１を密閉し、無誘導光ファイバケーブル２１および支持線２５の有無に関わらず、水および塵埃を浸入させない構造になっている。尚、蓋３５を削除し、ケーブル固定部３７をカバー３４に設けて、カバー３４を閉めることによりケーブル固定部３７により無誘導光ファイバケーブル２１を押さえ込んで把持・固定するようにしてもよい。
【００１４】
図７は本発明の実施形態例に係る収納箱の他の使用例を示す構成説明図である。すなわち、収納箱２４を既存の光ファイバ収納用キャビネット３９内に設置しキャビネットのカバーを取り外した状態を示しており、この時収納箱２４は無誘導光ファイバケーブル２１のみを把持・固定させた状態のまま光ファイバ収納用キャビネット３９内に両面テープ等を使用して設置できる。この場合、無誘導光ファイバケーブル２１から取り出した光ファイバを収容せず、ケーブル状態のまま収容可能であるため、収容作業が容易になる。
【００１５】
本発明の実施形態例に係る収納箱は、無誘導光ファイバケーブルを宅内に引き込む場合に、支持線および無誘導坑張力体を含む外被だけを削除した光ファイバが露出した状態の無誘導光ファイバケーブルを収容するのに有用である。
【００１６】
また、無誘導光ファイバケーブルの任意の位置に、支持線および無誘導坑張力体を含む外被だけを削除した光ファイバを曲げることなく、直線状態のまま収容する収納箱であるため、収納箱自体の小型化が可能であり、配線クリートと同様に設置が可能であることから、収納箱専用の設置スペースを必要とせず、無誘導光ファイバケーブルを宅内に引き込むことが可能となる。
【００１７】
さらに、無誘導光ファイバケーブルの任意の位置に、支持線および無誘導坑張力体を含む外被だけを削除した光ファイバを収納するにあたり、光ファイバ自体にテンションが掛からないように、無誘導光ファイバケーブルを両側から押さえ込むことでケーブル自体を固定し、ケーブルの移動を防止することで光ファイバ自体へのテンションの影響を防止すると共に、光ファイバ挿入口からの水や塵埃の浸入を防ぐ目的で止水部により無誘導光ファイバケーブルを挟み込む構造である。
【００１８】
また、本発明の実施形態例に係る収納箱は、無誘導光ファイバケーブル壁面引き止め位置から、宅内への引き込み口まで至る配線ルートの任意の位置に設置可能であるため設置性の向上につながると共に、キャビネット内に収容するための光ファイバ余長が不要となるため、無誘導光ファイバケーブルが経済的に配線可能である。
【００１９】
また、光ファイバを収納するキャビネットの設置場所が不要となるため、光ファイバの引込み作業が容易になる。
【００２０】
【発明の効果】
以上述べたように本発明によれば、無誘導光ファイバケーブルの移動を防止することにより、光ファイバ自体へのテンションの影響を防止でき、光ファイバの余長が不要となるため、収納箱自体の小型化が可能であり、設置位置の制約がなくなる収納箱を提供することができる。
【図面の簡単な説明】
【図１】本発明の実施形態例に係る収納箱の配線例を示す構成説明図である。
【図２】本発明の実施形態例に係る収納箱を示す斜視図である。
【図３】図２のＡ−Ａ線断面図である。
【図４】本発明の実施形態例に係る無誘導光ファイバケーブルおよび支持線を示す斜視図である。
【図５】本発明の実施形態例に係る収納箱の開放した状態を示す正面図である。
【図６】本発明の実施形態例に係る収納箱の開放した状態を示す斜視図である。
【図７】本発明の実施形態例に係る収納箱の他の使用例を示す構成説明図である。
【図８】従来の無誘導光ファイバケーブルの配線例を示す説明図である。
【符号の説明】
２１　無誘導光ファイバケーブル
２２　宅内引き込み口
２３　配線クリート
２４　収納箱
２５　支持線
２６　光ファイバ
２７　無誘導抗張力体
２８　外被
２９　外被
３０　ケーブル挿入口
３１　支持線挿入口
３２　止水部
３３　収納箱本体
３４　カバー
３５　蓋
３６　支持線固定部
３７　ケーブル固定部
３８　壁面取り付けネジ
【図１】
2004126346.tif 000003
【図２】
2004126346.tif 000004
【図３】
2004126346.tif 000005
【図４】
2004126346.tif 000006
【図５】
2004126346.tif 000007
【図６】
2004126346.tif 000008
【図７】
2004126346.tif 000009
【図８】
2004126346.tif 000010